(57)【要約】      （修正有）【課題】従来のダウンジャケット製品よりも優れた超高保温効果を有すると同時に、より柔軟な着用体験があり、軽量で収納が便利であり、空気注入量を調節することで最適な着用体験を実現することができる空気注入保温生地およびその生地を備えた衣類を提供する。【解決手段】生地本体１を含み、生地本体は表層、裏層および表層と裏層間に位置する複数のエアバッグを含み、隣接する２つのエアバッグ間に連通チャンネルが設けられ、表層上に空気注入・排出バルブ３が設けられ、空気注入・排出バルブの一端が一方のエアバッグに連通し、他端が表層を通って外部に延伸する。【選択図】図１
0003233674.tif 000002
【実用新案登録請求の範囲】
【請求項１】
生地本体（１）を含み、前記生地本体（１）は表層（１１）、裏層（１４）および前記表層（１１）と前記裏層（１４）間に位置する複数のエアバッグ（１２）を含み、隣接する２つの前記エアバッグ（１２）間に連通チャンネル（１３）が設けられ、前記表層（１１）上に空気注入・排出バルブ（３）が設けられ、前記空気注入・排出バルブ（３）の一端が一方の前記エアバッグ（１２）に連通し、他端が前記表層（１１）を通って外部に延伸する、ことを特徴とする空気注入保温生地。
【請求項２】
一方の前記エアバッグ（１２）の内壁上に気圧センサ（５）が設けられ、前記表層（１１）の外側に気圧ディスプレイ（６）が設けられ、前記気圧ディスプレイ（６）は前記気圧センサ（５）に接続されて、前記気圧センサ（５）によって監視されたエアバッグ（１２）の内部気圧および空気量を表示する、ことを特徴とする請求項１に記載の空気注入保温生地。
【請求項３】
前記空気注入・排出バルブ（３）は、外殻（３１）および前記外殻（３１）内部に位置するバルブ本体を含み、前記バルブ本体は、スプール（３２）および前記スプール（３２）上に嵌設されたばね（３３）を含み、前記スプール（３２）内部に、上部開口を備えたベント（３５）が設けられ、前記スプール（３２）底部に近い側面上に前記ベント（３５）と連通する側穴（３６）が設けられる、ことを特徴とする請求項１に記載の空気注入保温生地。
【請求項４】
前記スプール（３２）の上部に円錐形台（３９）が設けられ、前記円錐形台（３９）の頂部に第１のシール（３４）が設けられ、前記外殻（３１）の内壁上であって前記第１のシール（３４）の下方に第１の止め段差（３８）が設けられ、前記ばね（３３）の頂部が前記円錐形台（３９）の底部に当接され、前記外殻（３１）の内壁上であって前記ばね（３３）の下方に第２の止め段差（３０）が設けられる、ことを特徴とする請求項３に記載の空気注入保温生地。
【請求項５】
前記スプール（３２）の底部に第２のシール（３７）が設けられ、前記第２のシール（３７）が前記側穴（３６）の下方に位置し、前記第２のシール（３７）は、上端径が下端径よりも小さい円錐台構造を有し、前記外殻（３１）の底部は、第２のシール（３７）が前記外殻（３１）の底部を封止するように、前記第２のシール（３７）の外周面に合わせる傾斜面を有し、前記スプール（３２）の頂部は前記外殻（３１）の表面より高く設置される、ことを特徴とする請求項４に記載の空気注入保温生地。
【請求項６】
前記表層（１１）および前記裏層（１４）の周囲がホットメルト接着剤によって結合される、ことを特徴とする請求項１に記載の空気注入保温生地。
【請求項７】
前記表層（１１）および前記裏層（１４）間に間隔を置いて複数の圧力シーム（２）が設けられ、隣接する２つの圧力シーム（２）間および圧力シーム（２）の前記表層（１１）および前記裏層（１４）の縁の間にエアバッグ（１２）を収容するための収容空間が形成され、前記チャンネル（１３）が前記圧力シーム（２）内に設けられて隣接する２つの前記エアバッグ（１２）を連通する、ことを特徴とする請求項１に記載の空気注入保温生地。
【請求項８】
前記圧力シーム（２）は、キルティング糸である、ことを特徴とする請求項７に記載の空気注入保温生地。
【請求項９】
前記請求項１から８のいずれか１項に記載の空気注入保温生地で作製されることを特徴とする衣類。
【請求項１０】
前記衣類は、ダウンジャケットまたは羽布団を含む、ことを特徴とする請求項９に記載の衣類。
【考案の詳細な説明】
【技術分野】
【０００１】
本考案は、保温生地の技術分野に関し、特に空気注入保温生地およびその生地を備えた衣類に関する。
【背景技術】
【０００２】
寒い冬には、人々は通常、暖かく保ち、寒さに抵抗するためにダウンジャケットや羽布団を着用するのが好きである。現在、従来のダウンジャケットや羽布団は、一般的にダックダウンとグースダウンをフィラーとして使用し、ダウンのふわふわした性質を利用して衣服を空気で満たし、保温効果を実現しているが、多くのグースとアヒルは十分なダウンを得るために消費され、殺される。最も重要なことは、既存の従来のダウンジャケットまたは羽布団は、生産完了後のダウンの量が一定であり、一定量のダウンジャケットまたは羽布団は一定の熱性能を持ち、異なる温度に応じて熱性能を調整できないことである。さらに、従来のダウンジャケットは比較的かさばって収納が不便である。
【考案の概要】
【０００３】
本考案の目的は、従来技術におけるダウン生地が比較的かさばって収納が不便である技術的問題を解決するための、空気注入保温生地およびその生地を備えた衣類を提供することである。本考案によって提供される様々な技術的解決策中の好ましい技術的解決策によって生み出された多くの技術的効果を以下に詳細に説明する。
【０００４】
上記の目的を達成するために、本考案は以下の技術的解決策を提供する。
【０００５】
本考案によって提供される空気注入保温生地は、生地本体を含み、前記生地本体は表層、裏層および前記表層と前記裏層間に位置する複数のエアバッグを含み、隣接する２つの前記エアバッグ間に連通チャンネルが設けられ、前記表層上に空気注入・排出バルブが設けられ、前記空気注入・排出バルブの一端が一方の前記エアバッグに連通し、他端が前記表層を通って外部に延伸する。
【０００６】
好ましい実施形態によれば、一方の前記エアバッグの内壁上に気圧センサが設けられ、前記表層の外側に気圧ディスプレイが設けられ、前記気圧ディスプレイは前記気圧センサに接続されて前記気圧センサによって監視されたエアバッグ内部気圧および空気量を表示する。
【０００７】
好ましい実施形態によれば、前記空気注入・排出バルブは、外殻および前記外殻内部に位置するバルブ本体を含み、前記バルブ本体はスプールおよび前記スプール上に嵌設されたばねを含み、前記スプール内部に上部開口を備えたベントが設けられ、前記スプール底部に近い側面上に、前記ベントと連通する側穴が設けられる。
【０００８】
好ましい実施形態によれば、前記スプールの上部に円錐形台が設けられ、前記円錐形台の頂部に第１のシールが設けられ、前記外殻の内壁上であって前記第１のシールの下方に第１の止め段差が設けられ、前記ばねの頂部が前記円錐形台の底部に当接され、前記外殻の内壁上であって前記ばねの下方に第２の止め段差が設けられる。
【０００９】
好ましい実施形態によれば、前記スプールの底部に第２のシールが設けられ、前記第２のシールは前記側穴の下方に位置し、前記第２のシールは、上端径が下端径よりも小さい円錐台構造を有し、前記外殻の底部は、第２のシールが前記外殻の底部を封止するように、前記第２のシールの外周面に合わせる傾斜面を有し、前記スプールの頂部は前記外殻の表面より高く設置される。
【００１０】
好ましい実施形態によれば、前記表層および前記裏層の周囲はホットメルト接着剤によって結合される。
【００１１】
好ましい実施形態によれば、前記表層および前記裏層間に間隔を置いて複数の圧力シームが設けられ、隣接する２つの圧力シーム間および圧力シームの前記表層および前記裏層の縁との間にエアバッグを収容するための収容空間が形成され、前記チャンネルは前記圧力シーム内に設けられて隣接する２つの前記エアバッグを連通する。
【００１２】
好ましい実施形態によれば、前記圧力シームはキルティング糸である。
【００１３】
本考案はさらに衣類を提供し、前記衣類は前記の空気注入保温生地で作製される。
【００１４】
好ましい実施形態によれば、前記衣類はダウンジャケットまたは羽布団を含む。
【００１５】
上記の技術的解決策に基づいて、本考案の空気注入保温生地およびその生地を備えた衣類は少なくとも以下の技術的効果を有する。
【００１６】
本考案の空気注入保温生地の生地本体は、表層と裏層間に複数のエアバッグが設けられ、隣接する２つのエアバッグ間に連通チャンネルが設けられるため、表層と裏層間に封止エアバッグが形成され、従って、空気を表層上の空気注入・排出バルブを通じてエアバッグ内部に注入し、または空気注入・排出バルブを通じてエアバッグ内の空気を排出して、生地上に複数の空気注入口および空気排出口を設けることを回避し、外観を美しくすると同時に、使用しないとき、空気注入・排出バルブを通じてエアバッグ内部の空気を排出すればよく、軽量で収納が便利である。
【００１７】
本考案の実施例の空気注入保温生地は、一方のエアバッグの内壁上に気圧センサが設けられ、表層の外側に気圧ディスプレイが設けられ、気圧ディスプレイが気圧センサに接続されて気圧センサによって監視されたエアバッグ内部気圧および空気量を表示する。したがって、気圧ディスプレイに表示されるエアバッグ内部気圧の大きさおよび空気量に基づいて、直観的に生地本体の内部エアバッグ内の空気の量からその保温性能を判断することができ、外部の温度が低く高い保温性能が必要の場合、空気注入・排出バルブを通じてエアバッグ内部へ多くの空気を注入してその保温性能を高め、外部温度が比較的高い場合、空気注入・排出バルブを通じてエアバッグ内部の一部の空気を排出して様々な低温に対応し、より柔軟な着用体験を実現し、その適用性を高める。
【図面の簡単な説明】
【００１８】
本考案の実施例または従来技術の技術的解決策をより明確に説明するために、以下実施例または従来技術の説明において使用される図面を簡単に説明するが、以下説明される図面は本考案のいくつかの実施例に過ぎず、当業者であれば、創造的な労働をせずにこれらの図面に基づいて他の図面を得ることができる。
【図１】本考案の空気注入保温生地の構造概略図である。
【図２】本考案の空気注入保温生地の縦断面図である。
【図３】本考案の空気注入保温生地中の空気注入・排出バルブの構造概略図である。
【図４】本考案の空気注入・排出バルブの空気注入状態の構造概略図である。
【図５】本考案の空気注入・排出バルブの排気状態の構造概略図である。
【考案を実施するための形態】
【００１９】
考案の目的、技術的解決策および利点をより明確にするために、考案の技術的解決策を以下に詳細に説明する。明らかに、記載された実施例は、すべての実施例ではなく、本考案の実施例の一部にすぎない。本考案の実施例に基づいて、当業者によって創造的な労働をせずに得られた他のすべての実施例は、本考案の保護範囲内にあるものとする。
【００２０】
本考案の説明において、特に明記しない限り、「複数」は２つ以上を意味し、「上」、「下」、「左」、「右」、「内」、「外」、「前端」、「後端」、「フロント」、「リア」などの用語で示される方向または位置関係は、図面に示されている方向または位置関係に基づいており、本考案の説明を簡単かするためのもので、言及されるデバイスまたは要素が特定の方向を有し、特定の方向で構築および操作されなければならないことを示したり暗示したりするものではなく、したがって本考案の限定として理解することはできない。さらに、「第１」、「第２」、「第３」などの用語は説明の目的でのみ使用されており、相対的な重要性を示したり暗示したりするものとして理解することはできない。
【００２１】
本考案の説明において、特に明記および限定されない限り、「取付」、「連絡」、「接続」という用語は、広い意味で理解され、例えば固定的に接続してもよく、着脱可能に接続してもよく、または一体的に接続してもよく、機械的に接続してもよく、電気的に接続してもよく、直接接続してもよく、中間媒体を介して間接的に接続してもよい。当業者にとっては、具体的な状況に応じて本考案中の上記用語の具体的な意味を理解すべきである。
【００２２】
以下、明細書の図１〜図５を参照して本考案の技術的解決策を詳細に説明する。
【００２３】
実施例１
【００２４】
図１および図２に示すように、本考案によって提供される空気注入保温生地は、生地本体１を含み、生地本体１は表層１１、裏層１４および表層１１と裏層１４間に位置する複数のエアバッグ１２を含む。隣接する２つのエアバッグ１２間に連通チャンネル１３が設けられ、表層１１上に空気注入・排出バルブ３が設けられ、空気注入・排出バルブ３の一端が一方のエアバッグ１２に連通し、他端が表層１１を通って外部に延伸し、本考案は、空気を空気注入・排出バルブを通じてエアバッグ内部に注入し、同時に空気注入・排出バルブを空気排出口としてエアバッグ内部の空気を排出することもでき、本考案は、空気注入口と空気排出口を兼ねる空気注入・排出バルブを使用することで、生地上に複数の空気注入口および空気排出口を設けることを回避し、外観を美しくする。エアバッグの内部空気を排出した後生地の重量が低減し、収納がより便利である。
【００２５】
好ましくは、一方のエアバッグ１２の内壁上に気圧センサ５が設けられ、表層１１の外側に気圧ディスプレイ４が設けられ、気圧ディスプレイ４は気圧センサ５に接続されて気圧センサ５によって監視されたエアバッグ１２内部気圧および空気量を表示する。気圧センサおよび気圧ディスプレイによって、ユーザは直観的にエアバッグ内部の空気量からその保温性能を判断することができ、外部の温度が低く高い保温性能が必要の場合、空気注入・排出バルブを通じてエアバッグ内部に多くの空気を注入してその保温性能を高め、外部の温度が比較的に高い場合、空気注入・排出バルブを通じてエアバッグ内部の一部の空気を排出して、エアバッグ内部の気圧および量を低減し、様々な低温に対応し、より適切な温度体験を実現し、その適用性を高める。
【００２６】
好ましくは、図３に示すように、空気注入・排出バルブ３は、外殻３１および外殻３１内部に位置するバルブ本体を含み、バルブ本体はスプール３２およびスプール３２上に嵌設されたばね３３を含み、スプール３２内部に上部開口を備えたベント３５が設けられ、スプール３２底部に近い側面上に、ベント３５と連通する側穴３６が設けられる。スプール３２の上部に円錐形台３９が設けられ、円錐形台３９の頂部に第１のシール３４が設けられ、外殻３１の内壁上であって第１のシール３４の下方に第１の止め段差３８が設けられ、第１の止め段差３８は第１のシール３４を止めるために使用される。ばね３３の頂部が円錐形台３９の底部に当接され、外殻３１の内壁上であってばね３３の下方に第２の止め段差３０が設けられる。第２の止め段差３０はばね３３を止めるために使用される。好ましくは、スプール３２の底部に第２のシール３７が設けられ、第２のシール３７は側穴３６の下方に位置し、第２のシール３７は、上端径が下端径よりも小さい円錐台構造を有し、外殻３１の底部は、第２のシール３７が外殻３１の底部を封止するように、第２のシール３７の外周面に合わせる傾斜面を有する。好ましくは、スプール３２の頂部は外殻３１の表面より高く設置される。エアバッグ内部へ空気を注入する時、スプール３２の頂部に手動空気注入装置を接続するか、または人間の口をスプール通気口に合わせ、スプールを下へ押すと、図４に示すように、この時第２のシールが外殻３１の底部から開封され、第１のシールが第１の止め段差３８まで押し下げられ封止を形成し、ばね３３の底部が第２の止め段差３０に当接され、この時に、ベント３５および側穴３６はエアバッグ内部に連通し、空気がエアバッグ内部に注入される。気圧ディスプレイによって表示されるエアバッグ内部気圧および空気量が必要な値に達すると、スプールを解放し、ばねの弾性力作用下でスプールが上へ移動して第２のシールが外殻底部を封止する状態まで回復し、エアバッグ内の空気を密閉する。エアバッグ内部の空気を排出する時、図５に示すように、スプールを押してベントおよび側穴とエアバッグ内部を連通し、手動でエアバッグを押圧してエアバッグ内部の空気をスプールから排出すればよく、またはエアバッグ内部の空気を自然に排出し、気圧ディスプレイによって表示されるエアバッグ内部気圧および空気量が必要な値に達すると、スプールを解放し、ばねの弾性力作用下でスプールが上へ移動して第２のシールが外殻底部を封止する状態に回復し、エアバッグを封止する。したがって、空気量を調節することでより柔軟な着用体験を実現し、空気注入・排出バルブおよび気圧ディスプレイを使用して、空気注入量を調節し、最適な着用温度体験を実現する。
【００２７】
好ましくは、表層１１および裏層１４の周囲はホットメルト接着剤によって結合される。好ましくは、表層１１および裏層１４は環境に優しく再利用可能なリサイクル繊維で作製される。好ましくは、エアバッグは、高性能材料からなる通気性のない膜で作製される。本考案の生地本体は、４８時間内の空気漏れ量は４０％未満である。
【００２８】
好ましくは、表層１１と裏層１４間に間隔を置いて複数の圧力シーム２が設けられ、隣接する２つの圧力シーム２間および圧力シーム２の表層１１および裏層１４の縁との間に、エアバッグ１２を収容するための収容空間が形成され、チャンネル１３は圧力シーム２内に設けられて隣接する２つのエアバッグ１２を連通する。空気注入・排出バルブを介してすべてのエアバッグに空気を注入するか、またはエアバッグ内の空気を空気注入・排出バルブから排出する。好ましくは、圧力シーム２はキルティング糸である。
【００２９】
実施例２
【００３０】
本実施例は衣類を提供し、該衣類は、前記実施例１に記載の空気注入保温生地で作製される。前記衣類はダウンジャケットまたは羽布団を含む。
【００３１】
本考案の空気注入保温生地によれば、従来のダウンジャケットが重くて柔軟性のない問題を解決し、より軽量で、収納スペースが小さい。同時に、本考案の空気注入保温生地は、従来ダウン製品よりも優れた超高保温効果を有する同時に、より柔軟な着用体験を実現し、空気注入量を調節することで、最適な着用体験を実現する。
【００３２】
以上、本考案の具体的な実施形態を説明したが、本考案の保護範囲はこれに限定されるものではなく、当業者であれば、本考案に開示された技術的範囲内に、容易に想到された変更や置換は、すべて本考案の保護範囲に含まれる。したがって、本考案の保護範囲は前記実用新案請求の範囲の保護範囲に従うべきである。
【符号の説明】
【００３３】
１      生地本体
２      圧力シーム
３      空気注入・排出バルブ
４      気圧ディスプレイ
５      気圧センサ
１１    表層
１２    エアバッグ
１３    チャンネル
１４    裏層
３０    第２の止め段差
３１    外殻
３２    スプール
３３    ばね
３４    第１のシール
３５    ベント
３６    側穴
３７    第２のシール
３８    第１の止め段差
３９    円錐形台
【図１】
0003233674.tif 000003
【図２】
0003233674.tif 000004
【図３】
0003233674.tif 000005
【図４】
0003233674.tif 000006
【図５】
0003233674.tif 000007